【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
集積回路に構成要素を配置する方法であって、
第１のタイプの回路セルを２つ以上設けることと、
第２のタイプの回路セルを２つ以上設け、前記第１のタイプの前記回路セルは前記第２のタイプの前記回路セルと連携して電気的に動作するよう構成することと、
前記２つ以上の第１のタイプの回路セルと前記２つ以上の第２のタイプの回路セルを、前記集積回路の予め決められた数の回路セルの全部と結合することと、
前記第１のタイプの各回路セルが前記第２のタイプの少なくとも１つの回路セルに隣接するように、前記集積回路上で前記第１のタイプの前記２つ以上の回路セルと前記第２のタイプの２つ以上の回路セルとのレイアウトトポロジーを交互パターンで配置することとを、
を含む方法。
【請求項２】
請求項１に記載の方法において、
前記交互パターンは行および列である、方法。
【請求項３】
請求項２に記載の方法において、
前記交互パターンは、前記列のそれぞれにおいて、前記第１のタイプの１つのセルと前記第２のタイプの１つのセルとの繰り返しパターンを含む、
方法。
【請求項４】
請求項２に記載の方法において、
前記交互パターンは、前記列のそれぞれにおいて、前記第１のタイプの１つのセルと前記第２のタイプの２つのセルとの繰り返しパターンを含む、
方法。
【請求項５】
請求項１に記載の方法において、
前記第１のタイプの前記回路セルは前記第２のタイプの前記回路セルに参照を提供する、方法。
【請求項６】
請求項５に記載の方法において、
前記参照は電圧の参照である、方法。
【請求項７】
請求項５に記載の方法において、
前記参照は電流の参照である、方法。
【請求項８】
請求項１に記載の方法において、
前記第１のタイプの前記回路セルは参照セルを含み、前記第２のタイプの前記回路セルはビデオＤＡＣセルを含む、方法。
【請求項９】
第１のタイプの回路セルを２つ以上と、
第２のタイプの回路セルを２つ以上とを含み、
前記第１のタイプの前記回路セルは前記第２のタイプの前記回路セルと連携して電気的に動作するよう構成されて、
前記２つ以上の第１のタイプの回路セルと前記２つ以上の第２のタイプの回路セルが、前記集積回路の予め決められた数の回路セルの全部と結合されており、
前記第１のタイプの各回路セルが前記第２のタイプの少なくとも１つの回路セルに隣接するように、前記集積回路上で前記第１のタイプの前記２つ以上の回路セルと前記第２のタイプの前記２つ以上の回路セルとのレイアウトトポロジーは交互パターンで配置されている、
集積回路。
【請求項１０】
請求項９に記載の集積回路において、
前記交互パターンは行および列のアレイである、集積回路。
【請求項１１】
請求項１０に記載の集積回路において、
前記交互パターンは、前記列のそれぞれにおいて、前記第１のタイプの１つのセルと前記第２のタイプの１つのセルとの繰り返しパターンを含む、
集積回路。
【請求項１２】
請求項１０に記載の集積回路において、
前記交互パターンは、前記列のそれぞれにおいて、前記第１のタイプの１つのセルと前記第２のタイプの２つのセルとの繰り返しパターンを含む、
集積回路。
【請求項１３】
請求項９に記載の集積回路において、
前記第１のタイプの前記回路セルは前記第２のタイプの前記回路セルに参照電圧を提供する、
集積回路。
【請求項１４】
請求項９に記載の集積回路において、
前記第１のタイプの前記回路セルは参照セルを含み、前記第２のタイプの前記回路セルはビデオＤＡＣセルを含む、
集積回路。
【請求項１５】
集積回路に構成要素を配置する方法であって、
ランプ電圧出力を生成するよう構成されたデジタルアナログ変換器（ＤＡＣ）を設けることと、
前記ランプ電圧出力をそれぞれが受信する２つの増幅器を設けることと、
前記２つの増幅器を、それぞれが画素アレイの１つ以上の列を駆動することと、
を含む方法。
【請求項１６】
請求項１５に記載の方法において、
前記２つの増幅器を、前記画素アレイの２つの側から前記画素アレイの前記列を駆動するように配置することを更に含む、方法。
【請求項１７】
請求項１５に記載の方法において、
前記増幅器は共通ターミネータ要素を更に駆動する、方法。
【請求項１８】
ランプ電圧出力を生成するよう構成されたデジタルアナログ変換器（ＤＡＣ）と、
前記ランプ電圧出力を受信するよう構成された第１の増幅器と、
前記ランプ電圧出力を受信するよう構成された第２の増幅器と
を含み、
前記第１および第２の増幅器は、それぞれがビデオディスプレイの画素列のいつ以上の列を駆動するよう構成されている、
集積回路。
【請求項１９】
請求項１８に記載の集積回路において、
前記第１および第２の増幅器は、前記画素アレイの２つの側から前記画素アレイの前記列を駆動するように配置されている、
集積回路。
【請求項２０】
請求項１８に記載の集積回路において、
前記第１および第２の増幅器はターミネータ要素を駆動するよう構成されている、集積回路。
【手続補正２】
【補正対象書類名】明細書
【補正対象項目名】００４３
【補正方法】変更
【補正の内容】
【００４３】
本発明をその例示的な実施形態を参照して詳細に説明してきたが、添付の請求の範囲に包含される本発明の範囲を逸脱することなく、様々な形および詳細の変更がなされ得ることが当業者によって理解されるであろう。
なお、本発明は、実施の態様として、以下の内容を含む。
［態様１］
集積回路に構成要素を配置する方法であって、
第１のタイプの回路セルを２つ以上設けることと、
第２のタイプの回路セルを２つ以上設け、前記第１のタイプの前記回路セルは前記第２のタイプの前記回路セルと連携して動作するよう構成することと、
前記第１のタイプの各回路セルが前記第２のタイプの少なくとも１つの回路セルに隣接するように、前記第１のタイプの前記回路セルと前記第２のタイプの回路セルとを交互パターンで配置することとを、
を含む方法。
［態様２］
態様１に記載の方法において、
前記交互パターンは行および列である、方法。
［態様３］
態様２に記載の方法において、
前記交互パターンは、前記列のそれぞれにおいて、前記第１のタイプの１つのセルと前記第２のタイプの１つのセルとの繰り返しパターンを含む、
方法。
［態様４］
態様２に記載の方法において、
前記交互パターンは、前記列のそれぞれにおいて、前記第１のタイプの１つのセルと前記第２のタイプの２つのセルとの繰り返しパターンを含む、
方法。
［態様５］
態様１に記載の方法において、
前記第１のタイプの前記回路セルは前記第２のタイプの前記回路セルに参照を提供する、方法。
［態様６］
態様５に記載の方法において、
前記参照は電圧の参照である、方法。
［態様７］
態様５に記載の方法において、
前記参照は電流の参照である、方法。
［態様８］
態様１に記載の方法において、
前記第１のタイプの前記回路セルは参照セルを含み、前記第２のタイプの前記回路セルはビデオＤＡＣセルを含む、方法。
［態様９］
第１のタイプの回路セルを２つ以上と、
第２のタイプの回路セルを２つ以上とを含み、
前記第１のタイプの前記回路セルは前記第２のタイプの前記回路セルと連携して動作するよう構成されており、
前記第１のタイプの各回路セルが前記第２のタイプの少なくとも１つの回路セルに隣接するように、前記第１のタイプの前記回路セルと前記第２のタイプの回路セルとは交互パターンで配置されている、
集積回路。
［態様１０］
態様９に記載の集積回路において、
前記交互パターンは行および列のアレイである、集積回路。
［態様１１］
態様１０に記載の集積回路において、
前記交互パターンは、前記列のそれぞれにおいて、前記第１のタイプの１つのセルと前記第２のタイプの１つのセルとの繰り返しパターンを含む、
集積回路。
［態様１２］
態様１０に記載の集積回路において、
前記交互パターンは、前記列のそれぞれにおいて、前記第１のタイプの１つのセルと前記第２のタイプの２つのセルとの繰り返しパターンを含む、
集積回路。
［態様１３］
態様９に記載の集積回路において、
前記第１のタイプの前記回路セルは前記第２のタイプの前記回路セルに参照電圧を提供する、
集積回路。
［態様１４］
態様９に記載の集積回路において、
前記第１のタイプの前記回路セルは参照セルを含み、前記第２のタイプの前記回路セルはビデオＤＡＣセルを含む、
集積回路。
［態様１５］
集積回路に構成要素を配置する方法であって、
ランプ電圧出力を生成するよう構成されたデジタルアナログ変換器（ＤＡＣ）を設けることと、
前記ランプ電圧出力をそれぞれが受信する２つの増幅器を設けることと、
前記２つの増幅器を、それぞれが画素アレイの１つ以上の列を駆動することと、
を含む方法。
［態様１６］
態様１５に記載の方法において、
前記２つの増幅器を、前記画素アレイの２つの側から前記画素アレイの前記列を駆動するように配置することを更に含む、方法。
［態様１７］
態様１５に記載の方法において、
前記増幅器は共通ターミネータ要素を更に駆動する、方法。
［態様１８］
ランプ電圧出力を生成するよう構成されたデジタルアナログ変換器（ＤＡＣ）と、
前記ランプ電圧出力を受信するよう構成された第１の増幅器と、
前記ランプ電圧出力を受信するよう構成された第２の増幅器と
を含み、
前記第１および第２の増幅器は、それぞれがビデオディスプレイの画素列のいつ以上の列を駆動するよう構成されている、
集積回路。
［態様１９］
態様１８に記載の集積回路において、
前記第１および第２の増幅器は、前記画素アレイの２つの側から前記画素アレイの前記列を駆動するように配置されている、
集積回路。
［態様２０］
態様１８に記載の集積回路において、
前記第１および第２の増幅器はターミネータ要素を駆動するよう構成されている、集積回路。